(57)【要約】【課題】接続箱本体の開口部にカバーの覆い部を長いスライド量で確実に閉止させる。【解決手段】接続箱本体３に開口部２を設け、開口部をスライド式に塞ぐ覆い部６をカバー７に設け、接続箱本体の内側に中間カバー５を装着し、中間カバーに対向してカバーを接続箱本体に装着し、覆い部を中間カバーと接続箱本体とに案内させて開口部を塞ぐ電気接続箱１を採用する。開口部２の周囲で中間カバー５と接続箱本体３とに覆い部に対するガイド部１３，３５を設けた。両ガイド部１３，３５を覆い部６のスライド方向に連続させた。ガイド部１３に隣接して中間カバー４に対するスライド係合用のガイド部５８を接続箱本体３に設けた。【選択図】図１
2005185034.tif 000002
【特許請求の範囲】
【請求項１】
接続箱本体に開口部が設けられ、該開口部をスライド式に塞ぐ覆い部がカバーに設けられ、該接続箱本体の内側に中間カバーが装着され、該中間カバーに対向して該カバーが該接続箱本体に装着され、該覆い部が該中間カバーと該接続箱本体とに案内されて該開口部を塞ぐことを特徴とする電気接続箱。
【請求項２】
前記開口部の周囲において前記中間カバーと前記接続箱本体とに前記覆い部に対するガイド部がそれぞれ設けられたことを特徴とする請求項１記載の電気接続箱。
【請求項３】
前記中間カバーのガイド部と前記接続箱本体のガイド部とが前記覆い部のスライド方向に連続したことを特徴とする請求項２記載の電気接続箱。
【請求項４】
前記覆い部が板状に形成されたことを特徴とする請求項１〜３の何れか１項に記載の電気接続箱。
【請求項５】
前記ガイド部に隣接して前記中間カバーに対するスライド係合用のガイド部が前記接続箱本体に設けられたことを特徴とする請求項１〜４の何れか１項に記載の電気接続箱。
【請求項６】
前記開口部を通じて前記接続箱本体内の接続体に被接続体が電気的に接続されることを特徴とする請求項１〜５の何れか１項に記載の電気接続箱。
【請求項７】
前記中間カバーが前記接続体を支持し、且つ前記カバーとの間で該接続体を他の回路に接続させることを特徴とする請求項６記載の電気接続箱。
【発明の詳細な説明】
【技術分野】
【０００１】
本発明は、ヒューズ等を装着する接続箱本体の開口部をカバーの覆い壁でスライド式に閉止する構造の電気接続箱に関するものである。
【背景技術】
【０００２】
図５は従来の電気接続箱の一形態を示すものである（特許文献１参照）。
【０００３】
この電気接続箱８１は、小電流用のヒューズ８２や大電流用のヒュージブルリンク等を装着する合成樹脂製のメインカバー８３と、メインカバー８３の下側に装着される合成樹脂製のロアカバー８４と、メインカバー８３の上側に装着される合成樹脂製のアッパカバー（図示せず）とを備えるものである。
【０００４】
メインカバー８３は上部にヒューズ装着部８５やヒュージブルリンク装着部８６を有し、メインカバー８３の下部開口からヒューズ８２やヒュージブルリンクに対する接続用の端子付きの電線８７や導電金属製の板状のバスバー（図示せず）が装着される。
【０００５】
メインカバー８３の前側の壁部８８には長手方向ほぼ中央において縦長の開口部８９が設けられ、例えばメインカバー８３内のバスバーの孔部にボルトとナットで締め付け接続する電源側の端子付きの電線（図示せず）が開口部８９内に装着される。各電線８７はワイヤハーネスとしてロアカバー８４の側部開口９０から外部に導出されて、図示しない車両側の電装品や補機等に接続される。
【０００６】
ロアカバー８４の側壁９１には、開口部８９に対する閉止用の覆い壁（覆い部）９２が上向きに突出して一体に設けられている。覆い壁９２はメインカバー８３の開口部両側のガイド突部（ガイド部）９３の内側にスライド案内されて開口部８９を封止する。
【特許文献１】特開２００１−１５６４６９号公報（図１，図５）
【発明の開示】
【発明が解決しようとする課題】
【０００７】
しかしながら、上記従来の電気接続箱８１にあっては、メインカバー（接続箱本体）８２のガイド部９３が短い場合に、ガイド部９３の樹脂成型性は良好であるが、覆い部９２に対する案内性が悪くなったり、覆い部９２のガタ付きを生じたり、ガイド部９３の上下に隙間を生じ、その隙間からメインカバー８２内に水滴や塵が入りやすくなるといった懸念があった。それを防ぐためにガイド部９３を長く形成する場合には、例えばガイド部９３の欠肉等を生じやすくなる等、樹脂成型性が悪くなり、また、樹脂成型金型も大型化・高コスト化するという問題があった。
【０００８】
本発明は、上記した点に鑑み、接続箱本体の開口部を覆うカバーの覆い部に対するスライド方向の長いガイド部を簡単に且つ確実に且つ低コストで形成することができる電気接続箱を提供することを目的とする。
【課題を解決するための手段】
【０００９】
上記目的を達成するために、本発明の請求項１に係る電気接続箱は、接続箱本体に開口部が設けられ、該開口部をスライド式に塞ぐ覆い部がカバーに設けられ、該接続箱本体の内側に中間カバーが装着され、該中間カバーに対向して該カバーが該接続箱本体に装着され、該覆い部が該中間カバーと該接続箱本体とに案内されて該開口部を塞ぐことを特徴とする。
【００１０】
上記構成により、接続箱本体内に収容された中間カバーが覆い部に対するガイド部の役割を果たし、カバーを接続箱本体に組み付けるに従って、覆い部が先ず中間カバーに沿ってスライド案内され、次いで中間カバーと接続箱本体との両方に沿ってスライド案内される。このように、中間カバーにもガイド部の役割を持たせることで、接続箱本体のガイド部が短くて済み、ガイド部の樹脂成形性が向上する。
【００１１】
請求項２に係る電気接続箱は、請求項１記載の電気接続箱において、前記開口部の周囲において前記中間カバーと前記接続箱本体とに前記覆い部に対するガイド部がそれぞれ設けられたことを特徴とする。
【００１２】
上記構成により、カバーを接続箱本体に組み付けるに従って、覆い部が中間カバーのガイド部と接続箱本体のガイド部とに沿って位置決めされつつスムーズにスライド案内される。覆い部が開口部を閉止した後は両ガイド部によって覆い部のガタ付きが防止される。
【００１３】
請求項３に係る電気接続箱は、請求項２記載の電気接続箱において、前記中間カバーのガイド部と前記接続箱本体のガイド部とが前記覆い部のスライド方向に連続したことを特徴とする。
【００１４】
上記構成により、中間カバーのガイド部と接続箱本体のガイド部とが直線的に連続して位置し、覆い部が中間カバーのガイド部から直に接続箱本体のガイド部に移行する。これにより、両ガイド部間における覆い部の引っ掛かりやガタ付き等が防止され、覆い部のスライド係合性及びスライド離脱性が向上する。
【００１５】
請求項４に係る電気接続箱は、請求項１〜３の何れか１項に記載の電気接続箱において、前記覆い部が板状に形成されたことを特徴とする。
【００１６】
上記構成により、板状の覆い部の幅方向両側にガイド部が配置され、板状の覆い部がガイド部に沿ってスムーズにスライド係合及び離脱される。覆い部が板状であるから、広い開口部に対応可能である。
【００１７】
請求項５に係る電気接続箱は、請求項１〜４の何れか１項に記載の電気接続箱において、前記ガイド部に隣接して前記中間カバーに対するスライド係合用のガイド部が前記接続箱本体に設けられたことを特徴とする。
【００１８】
上記構成により、中間カバーがスライド係合用のガイド部に沿って接続箱本体内にスムーズにスライド案内される。これにより、接続箱本体への中間カバーの組付性が向上する。スライド係合用のガイド部の一部を前記覆い部に対するガイド部として流用することも可能で、それにより、構造が簡素化・低コスト化される。
【００１９】
請求項６に係る電気接続箱は、請求項１〜５の何れか１項に記載の電気接続箱において、前記開口部を通じて前記接続箱本体内の接続体に被接続体が電気的に接続されることを特徴とする。
【００２０】
上記構成により、例えば接続体としてバスバー、被接続体として後付けヒューズを用い、バスバーに後付けヒューズを装着する際に、カバーを接続箱本体から離脱させて開口部から覆い部を外し、開口部を通じて内側のバスバーに後付けヒューズを接続する。
【００２１】
請求項７に係る電気接続箱は、請求項６記載の電気接続箱において、前記中間カバーが前記接続体を支持し、且つ前記カバーとの間で該接続体を他の回路に接続させることを特徴とする。
【００２２】
上記構成により、例えば接続体としてバスバー、他の回路としてワイヤハーネスを用い、例えば中間カバーのコネクタハウジングにバスバーの端子部を収容してコネクタを構成させ、コネクタにワイヤハーネスのコネクタを嵌合接続させる。
【発明の効果】
【００２３】
請求項１記載の発明によれば、覆い部に対するガイド部の役割を中間カバーにも持たせたことで、接続箱本体のガイド部が短くて済み、ガイド部の樹脂成形性が向上して、電気接続箱の生産性が高まると共に、ガイド部を形成する成形金型が小型化・低コスト化される。
【００２４】
請求項２記載の発明によれば、開口部の周囲において覆い部が中間カバーのガイド部と接続箱本体のガイド部とに沿って位置決めされつつスムーズにスライド案内されるから、覆い部の閉止性及び開扉性が向上すると共に、接続箱本体へのカバーの組付性が向上し、さらにガタ付きが防止されて、異音や摩耗や隙間の発生（内部への雨水や塵等の侵入）が確実に防止される。
【００２５】
請求項３記載の発明によれば、覆い部が中間カバーのガイド部から直接に接続箱本体のガイド部に摺接するから、覆い部のスライド係合性が高まり、接続箱本体へのカバーの組付作業性が向上する。
【００２６】
請求項４記載の発明によれば、板状の覆い部をガイド部に沿ってスムーズにスライドさせることができ、板状の覆い部で広い開口部を覆って、接続箱本体内を外部から保護し、且つ広い開口部を通じて接続等の作業を容易に行うことができる。
【００２７】
請求項５記載の発明によれば、中間カバーをスライド係合用のガイド部に沿って接続箱本体内にスムーズに係合させることができ、接続箱本体への中間カバーの組付性が向上する。スライド係合用のガイド部の一部を前記覆い部に対するガイド部として流用すれば、中間カバーの構造が簡素化・低コスト化される。
【００２８】
請求項６記載の発明によれば、開口部を開けて例えば接続箱本体内の接続体であるバスバーに被接続体である後付けヒューズを作業性良く容易に接続させることができる。
【００２９】
請求項７記載の発明によれば、例えば中間カバーのコネクタハウジングに接続体であるバスバーの端子部を収容してコネクタを構成させ、コネクタに他の回路としてのワイヤハーネスのコネクタを嵌合接続させることで、単に接続体を覆う中間カバー以上の役割を発揮させることができ、その中間カバーに覆う部に対するガイド作用を付与したことで、全体構造が簡素化・低コスト化される。
【発明を実施するための最良の形態】
【００３０】
図１は本発明に係る電気接続箱の一実施形態を示すものである。
【００３１】
この電気接続箱１は、正面側に開口部２を有する合成樹脂製のメインカバー（接続箱本体）３と、メインカバー３内に下方から装着されるバスバー組立体（接続体）４と、バスバー組立体４の下方からメインカバー３内に装着される合成樹脂製の中間カバー（コネクタブロック）５と、中間カバー５の下方からメインカバー３に装着され、メインカバー３の開口部２に対する板状の覆い壁（覆い部）を有する合成樹脂製のロアカバー（カバー）７と、メインカバー３の上側に装着される合成樹脂製のアッパカバー（図示せず）とを備えるものである。
【００３２】
メインカバー３は上部前側に複数のヒュージブルリンク装着部８とヒューズ装着部９とをそれぞれ並列に有すると共に、両側内部にリレー装着部１０、右端内側にコネクタハウジング１１をそれぞれ有し、前側の壁部１２の長手方向中央に比較的幅広の矩形状の開口部２を有している。
【００３３】
図２に示す如く、開口部２の内側周縁には下半部側を除いてロアカバー７（図１）の覆い壁６に対するガイド部１３が設けられている（ガイド部については後述する）。
【００３４】
図１で開口部２の内側にはナット１４を装着する垂直なガイド壁１５が設けられており、メインカバー３の下部開口からガイド壁１５に沿ってバスバー組立体４が装着され、開口部２内にバスバー組立体４の中央の可溶部（ヒューズ部）１６が位置し、可溶部１６が過電流で溶断した際に、開口部２から後付けヒューズ（被接続体）１７をバスバー組立体４に装着可能となっている。
【００３５】
バスバー組立体４は前側の電源供給バスバー１８と後側の絶縁配列バスバー１９を絶縁樹脂部２０のボス部２１を介して対向して一体に固定したものである。板状の電源供給バスバー４の中央の切欠部２２内に可溶部１６が一体に形成されている。絶縁配列バスバー１９は複数本の帯状のバスバー本体とそれを覆う絶縁樹脂部２０とで構成されている。
【００３６】
各バスバー１８，１９の右半側には、ヒュージブルリンク装着部８内に挿入されるタブ端子２３、左半側には、ヒューズ装着部９に挿入される挟持端子２４がそれぞれ対向して設けられ、前側のバスバー４の右端には、コネクタハウジング１１内に挿入される幅広のタブ端子２５が設けられている。コネクタハウジング１１とタブ端子２５でコネクタが構成される。例えばコネクタ（符号１１で代用）又はバスバーの１８の中央の孔部７２（図４）に電源線（図示せず）が接続される。絶縁配列バスバー１９は下向きの各種タブ端子２６〜２８を複数並列に有している。
【００３７】
中間カバー（コネクタブロック）５は水平な基壁２９に複数のコネクタハウジング３０〜３２を下向きに一体に設けたものであり、各コネクタハウジング３０〜３２の基壁には、後側のバスバー１９の下向きの各タブ端子２６〜２８に対する挿入孔３３が設けられ、各コネクタハウジング３０〜３２と各タブ端子２６〜２８とで各コネクタが構成される。各コネクタにはワイヤハーネス（図示しない他の回路）のコネクタが嵌合接続され、ワイヤハーネスはロアカバー７の後壁側の導出口３４から外部に導出される。前側のバスバー４の下端は中間カバー５の基壁２９で当接支持される。
【００３８】
中間カバー５の基壁２９の前端には、ロアカバー７の覆い壁６に対する左右一対のガイド部３５が設けられ、ガイド部３５はメインカバー３の開口部２の下半部内側に位置し、メインカバー３側のガイド部１３（図２）と一体化して長形のガイド部を構成する（ガイド部については後述する）。
【００３９】
ロアカバー７は長方形の底壁３６と、その周りに立設された周壁（前後左右の壁部）３７と、前側の壁部３８から上向きに同一平面で突出された垂直な板状の覆い壁６とを備えている。周壁３７の外面にはメインカバー３の下端外側の係止部（枠部３９内の係止突起）に対する係合部（突起に対する凹部４０を有する突出片）が上向きに突設されている。
【００４０】
覆い壁６は矩形平板状に形成され、外面側の周縁に沿ってリブ４１が周設され、リブ４１と覆い壁６の周端との間に、メインカバー３の開口部２の内縁に対する幅狭の摺接部４２が構成され、リブ４１は開口部２の周端に対する位置決め部として作用する。リブ４１はロアカバー７の周壁３７の上縁に沿って延長され、この周縁のリブ４３はメインカバー３の下端に対するストッパとして作用する。
【００４１】
図３はメインカバー３を示す下方視平面図であり、メインカバー３の前後方向中央に垂直な隔壁４４が設けられ、隔壁４４の前側にバスバー収容空間４５が形成され、隔壁４４の左右両側で短い隔壁４６が直交して前壁に続き、左側の短い隔壁４６にはバスバー挿入スリット４７が設けられ、各隔壁４４，４６とカバー前壁１２との間に中間カバー５（図１）に対する収容空間４８が形成されている。隔壁４４の後側の空間４９にはリレー５０（図１）がホルダ５１と共に収容される。
【００４２】
中間カバー５は収容空間４８の下部にほぼ隙間なく嵌合し、係止突起５２（図４）と係合凹部５３（図３）といった係止手段でメインカバー３の内側下部に係止される。バスバー組立体４（図１）は収容空間４５内で中間カバー５の上側に位置する。中間カバー５はバスバー組立体４をメインカバー３内でガタ付きなく支持すると共に、バスバー収容空間４５を下側から閉止する。収容空間４５の上側にはヒュージブルリンク装着部８やヒューズ装着部９やコネクタハウジング１１が位置する。
【００４３】
収容空間４８の前後方向中央にはバスバー組立体４（図１）に対するガイド壁１５がメインカバー３の上壁から垂下形成され、ガイド壁１５は前後の両バスバー１８，１９間の中央の空間（隙間）５４（図４）内に挿入される。
【００４４】
図２，図３の如く、メインカバー３の前壁１２の開口部２には、前壁１２とほぼ同一平面で続く周縁部５５と、周縁部５５の後方で対向して前壁１２の内面１２ａから断面略Ｌ字状に突出形成されたガイド突条１３とが設けられ、周縁部５５とガイド突条１３との間にガイド溝５６が構成されている。ガイド突条１３はメインカバー３の前壁１２の内面１２ａに直交して垂直に延びる直線的なリブ状の支持部１３ａ（図２）と、支持部１３ａと直交して内面１２ａと平行に（対向して）位置する案内部１３ｂとで構成されている。周縁部５５とガイド突条１３とで覆い壁６（図１）に対するガイド部が構成される。
【００４５】
前側の周縁部５５は図１の如く前壁１２の下端まで延長され、下端側でテーパ状に切欠されて覆い壁６に対する入口の傾斜ガイド５７（図２）を構成している。後側のガイド突条１３は開口部２の高さ方向中間部から上側に、すなわち下半部を除く上半部に形成され、下半部には空間が構成されているのみである。この下半部の高さは中間カバー５（図４）のガイド部３５の長さに等しい。メインカバー３のガイド部１３は中間カバーのガイド部３５よりも少し長く形成されている。
【００４６】
図２，図３で、メインカバー３の各ガイド突条１３の外側において前壁１２の内面１２ａに中間カバー案内用の断面略Ｔ字状の垂直方向のガイドレール（ガイド部）５８が突出して設けられている。
【００４７】
ガイドレール５８は前壁内面１２ａに直交する垂直なリブ状の支持部５８ａと、支持部５８ａに直交して内面１２ａと平行に（対向して）位置する垂直な帯板状の案内部５８ｂとで構成され、内側のガイド突条１３から僅かな水平距離をおいて且つガイド突条１３よりも下側に長く延長され、案内部５８ｂはガイド突条１３の案内部１３ｂとほぼ同一面ないし若干メインカバー内側寄りに位置している。ガイドレール５８は覆い壁６（図１）ではなく中間カバー５をメインカバー３内に案内するためのものである。メインカバー３の隔壁４４（図３）の内面にも同形状のガイドレールが設けられている。
【００４８】
図４に中間カバー（コネクタブロック）５とバスバー組立体４を示す如く、中間カバー５の水平な基壁２９の前端に上下のリブ６０が垂直に突出形成されて、基壁２９の前端面（前壁）６１が上下方向に幅広に構成され、前壁６１と一体に、メインカバー３のガイドレール５８（図２，図３）に対する左右一対のスライド係合部６２が垂直に突出形成されている。
【００４９】
スライド係合部６２は左右一対の対向する突条６３と、各突条６３に直交する各側壁６４と、両側壁６４を連結する後壁６５とで略凹字状に形成され、一対の突条６３の間に幅狭のスリット部６６が構成され、一対の突条６３と側壁６４と後壁６５とで囲まれた内側の矩形状の溝（空間）６７にガイドレール５８（図２，図３）の案内部５８ｂがスライド係合し、スリット部６６内にガイドレール５８の支持部５８ａが係合する。ガイドレール５８の長さは少なくともスライド係合部６２の長さと同じ又はそれ以上であればよい。
【００５０】
中間カバー５の後壁にも同形状のスライド係合部６８が一つ設けられており、計三つのスライド係合部６２，６８で中間カバー５がメインカバー３内に安定してスムーズにスライド係合される。
【００５１】
前壁６１側の各スライド係合部６２の内方の側壁６４に直交して垂直方向のガイド壁部６９が突出形成され、ガイド壁部６９の下半部は中間カバー５の前壁６１に同一平面で続いている。
【００５２】
中間カバー５をメインカバー３内に装着する際に、スライド係合部６２がガイドレール５８（図２，図３）にスライド係合し、ガイド壁部６９がメインカバー３のガイド突条１３の案内部１３ｂの下側で案内部１３ｂと同一平面に位置し、スライド係合部６２の内方の側壁６４の外面がメインカバー３のガイド突条１３の支持部１３ａの下側で支持部１３ａと同一平面に位置し、中間カバー５のガイド壁部６９はメインカバー３の開口２の周縁部５５と対向し、周縁部５５との間にガイド溝を構成する（図４の符号６９の部分にガイド溝が構成される）。中間カバー５のガイド壁部６９と、ガイド壁部６９と同一面で続く前壁６１と、これらに直交する側壁６４とで覆い壁６（図１）に対するガイド部３５が構成される。
【００５３】
メインカバー３のガイド部１３がロアカバー７の覆い壁６の上半部をスライド係合（案内）させ、中間カバー５のガイド部３５が覆い壁６の下半部をスライド係合（案内）させる。このようにガイド部１３，３５を上下で二分割とし、上下のガイド部１３，３５を互いに高さ方向に接合させることで、長いガイド部が確実に構成され、ガイド部１３，３５、特にメインカバー側のガイド部１３の樹脂成型が容易に且つ正確に行われ、樹脂成型金型も小型化・低コスト化される。
【００５４】
図４でバスバー組立体４の各バスバー１８，１９の下端は中間カバー５の上面に当接支持され、後側のバスバー１９の下向きの各端子２６〜２８が中間カバー５の各コネクタハウジング３０〜３２内に挿入されて各コネクタを構成する。各バスバー１８，１９の上向きの端子２３〜２５はメインカバー３（図１）のコネクタハウジング１１やヒュージブルリンク装着部８やヒューズ装着部９内に挿入され、各バスバー１８，１９の上端がメインカバー３の上壁内面に当接する。タブ端子２３にはヒュージブルリンク７０（図１）が接続され、挟持端子２４にはヒューズ７１（図１）が接続される。
【００５５】
中間カバー５の各コネクタは下向きに構成され、中間カバー５の下方から図示しないワイヤハーネスのコネクタが中間カバー５の各コネクタに接続され、ワイヤハーネスはロアカバー７内に収容されつつ導出口３４（図１）から外部に導出されて図示しない車両の電装品や補機等に接続される。
【００５６】
前側のバスバー１８に過電流が通電された際に可溶部１６が溶断して回路が遮断されるが、バスバー組立体４や中間カバー５はそのままメインカバー３内に残して、ロアカバー７のみをメインカバー３から外して、後付けヒューズ１７をバスバー１８の中央の孔部７２（図４）にボルト７３（図１）とナット１４で締付接続する。その後、ロアカバー７を再装着して覆い壁６で開口部２を覆って内部のバスバー１８，１９や後付けヒューズ１７等を外部の雨水や塵等から保護する。
【００５７】
なお、上記実施形態においては、メインカバー３の開口部２を通じてバスバー１８への後付けヒューズ１７の接続を行わせたが、従来例にも示した如く、開口部２は後付けヒューズ１７に限らず、例えばバスバーに電源供給用の端子付き電線（図示せず）をボルトとナットでねじ締め接続させる場合や、それ以外にバスバーに他の部品を接続させる場合等においても適用可能なものである。
【００５８】
また、上記実施形態においては、ロアカバー７に覆い壁６を設けたが、例えば図１の電気接続箱１を反転して使用する場合等において、アッパカバーに覆い壁６を設けることも可能である。また、上記実施形態におけるメインカバー３のガイド部１３や中間カバー５のガイド部３５の形状や、中間カバーの５スライド係合部６２やメインカバー３のガイドレール５８の形状等は適宜変更可能である。
【図面の簡単な説明】
【００５９】
【図１】本発明に係る電気接続箱の一実施形態を示す分解斜視図である。
【図２】電気接続箱のメインカバーの内面側を示す要部斜視図である。
【図３】メインカバーを示す下方視平面図である。
【図４】メインカバー内に装着されるバスバー組立体と中間カバーを示す分解斜視図である。
【図５】従来の電気接続箱の一実施形態を示す分解斜視図である。
【符号の説明】
【００６０】
１          電気接続箱
２          開口部
３          メインカバー（接続箱本体）
４          バスバー組立体（接続体）
５          中間カバー（コネクタブロック）
６          覆い壁（覆い部）
７          ロアカバー（カバー）
１３，３５  ガイド部
１７        後付けヒューズ（被接続体）
５８        ガイドレール（ガイド部）
【図１】
2005185034.tif 000003
【図２】
2005185034.tif 000004
【図３】
2005185034.tif 000005
【図４】
2005185034.tif 000006
【図５】
2005185034.tif 000007